(57)【要約】【課題】従来の舌の清浄用具は、柄を動作し、先端の作用部を、舌の表面の奥側一部に押し当て、手前へと引きこすり、汚れをかき出すもので、舌を痛たり作用部の位置を移し変える都度、吐き気をもよおす人が少なからずいた。【解決手段】一対の面ファスナーの内、表面をループ状やモヘア状に密集し加工が施されたメス側を適宜同形に切り抜き、２枚を用い、裏面を向かい合わせ、中央を縦長に袋状の鞘部を設け縁周りと共に縫い、上下一体化し、その鞘部に柄の先にカーブを施した支持部を差込み固定し、水でぬらし、下方にカーブした側のループ部を作用部とし、舌の表面に当て咥え、柄を支え持ち動作せず、口を閉じたまま、自ら舌を、ループ部下面に軽く押し当てながら前後左右に動作し、舌は、密集し施されたループ状の単糸の広範囲に接触し、圧力が分散され舌を痛めず、作用部を動作しないことから吐き気も軽減でき、汚れだけを効率よく絡め取り、留めるようにした。【選択図】図７
2014042780.tif 000002
【特許請求の範囲】
【請求項１】
（イ）オスとメスからなる、一対の面ファスナーの内、ベース（１）の表面を、単糸を用いループ状やモヘア状に密集し、加工が施されたメス側を適宜な形に切り抜き、２枚を用い、ベース（１）の裏面を向かい合わせ、上下表面にループ部（２）（２ａ）を配し、縦長に中央を袋状の鞘部（３）を設けるように縫い、その一端より続けて縁周りを縫い、もう一端と結び一体にし、上下ベース（１）の間に設けられた鞘部（３）の入り口上部に上下ベース（１）を貫く止め着け孔（４）を設ける。
（ロ）柄（５）の後方に多目的孔（６）を設け、弾性を有する前方、支持部（７）の先、一方にカーブを施し、下方にカーブした側の平面の一部に、突起部（８）を一体に設けた、一対の面ファスナーのメス側、表面の特性を活用した舌の清浄用具。
【請求項２】
弾性を有する柄（５）の後方に多目的孔（６）を設け、前方を適宜な形状にし、その前方の形状に合わせ、面ファスナーのメス側を切り抜き、ループ部（２）（２ａ）を表側に配し、柄（５）の前方の表と裏、両面に貼り着けた、一対の面ファスナーのメス側、表面の特性を活用した舌の清浄用具。
【発明の詳細な説明】
【技術分野】
【０００１】  本発明は、舌の表面に生じ、口臭の原因となる苔状の汚れを除去するに当たり、化学繊維で作られた、表面に鈎爪のあるオスと表面を密集し、モヘア状やループ状に、加工が施されたメスからなる一対の面ファスナーのメス側、表面の特性を活用した舌の清浄用具に関する。
【背景技術】
【０００２】  従来、舌の清浄用具には、柄の先端を扇状にし、毛足の短い直毛を植え込んだブラシや柄の先端を環状にし、作用部をやや内向きに刃状加工を施した専用の物がある。【０００３】  それら、舌の清浄用具は、柄をにぎり、舌の奥側一部に、先端の作用部を押し当て、一定の角度を維持しながら力を加え、舌の表面に生じた苔状の汚れを手前へと、かき出すように引きこする動作を繰り返し、用いる特徴がある。
【先行技術文献】
【０００４】
【非特許文献１】  株式会社大創産業、舌ブラシや舌クリーナーなどの取り扱い説明書。
【発明の概要】
【発明が解決しようとする課題】
【０００５】  従来の舌の清浄用具は、柄をにぎり、先端の作用部を舌の表面の汚れを目掛け、奥側一部に押しあて、一定の角度を維持しながら力を加え、手前へと引きこすり、かき出す動作を繰り返し行ない、かき出された汚れは、舌の表面に留まらないため口をすすぐなどし、口臭の原因となる舌の表面に生じた汚れを除去し、清浄に保っていた。
その、構造上、作用部を舌の奥側一部に押し当て、手前へと狭い範囲に力を集中させ引きこする動作を繰り返すことが必要不可欠で、使用中の、多少の痛みや吐き気は、我慢する必要があり、使用後に於いてもデリケートな舌に、ひりひりとした痛みを残し、不快感を覚える人が少なからずいた。
このことに付いては、従来の清浄用具の注意書きなどに、強くこすらない、使用後に於いて異常が出た場合、使用を中止すると記されているが、使用する者、各々で力の加減が異なることを想定されていないためか、その目安もなく、安全面に於いて万全と言えるものではなかった。また、舌の表面奥側一部に先端の作用部を移し変える都度、吐き気が増し、不快感が極限状態に陥ることから中には、用具自体の使用を止める者もいた。【０００６】  本発明は、このような問題点を解決しようとするものであり、柄は、支え持つだけで動作せず、舌への刺激や吐き気なども軽減し、安全かつ効率よく、口臭の原因となる舌の表面に生じた苔状の汚れを除去し、舌を清浄に保つことを目的とするものである。
【課題を解決するための手段】
【０００７】  化学繊維で作られた、オスとメスからなる、一対の面ファスナーの内、表面に単糸を用い、ループ状、又は、モヘア状に密集し、加工が施されたメス側の表面の特性を活用し、それを適宜同形に切り抜き、２枚を用い、双方の裏面を向かい合わせ、上下表側にループ部を配し、縦長に中央を袋状の鞘部３を設けるように縫い、その一端より続けて縁周りを縫い、もう一端と結び、上下２枚を一体にし、鞘部３の入り口上部中央に上下ベース１を貫く、止め着け孔４を設ける。【０００８】  次に、柄５の後方に多目的孔６を設け、前方には、弾性を有し、断面を楕円状にした支持部７の先を舌に馴染むよう一方にカーブを施し、下方にカーブした側の支持部７の柄５に近い平面の一部に突起部８を一体に設けた支持部７を、ループ部を上下表側に配し、鞘部３を設け縫い合わせ一体化し、その上下ベース１の間に設けられた鞘部３に差し込み、鞘部３の入り口に設けた止め着け孔４を支持部７の突起部８に差し入れ固定し、作用部とする下方にカーブした側をループ部下面２ａとし、その反対側をループ部上面２とする。【０００９】  次に、緩衝性を併せ持つ作用部であるループ部２と２ａ全体を水にぬらし、下方にカーブしたループ部下面２ａを舌の表面に当て、口を閉じ、軽く咥え、ループ部上面２の一部を上顎のドーム状の口蓋９に当て、柄５を支え持ち、動作せずに、口を閉じたまま、自ら舌を、ループ部下面２ａに軽く押し当てながら、前後左右に動作する。【００１０】  そのとき、舌の表面は、化学繊維の単糸を用いモヘア状やループ状に、密集し、加工が施され、緩衝性も併せ持つ、作用部の単糸の曲面に対し、広範囲に亘り接触するため圧力が分散し、舌への刺激も少なく、舌を痛めることや、作用部を繰り返し動作しないことから吐き気なども軽減でき、さらに、舌の表面に生じた口臭の原因となる苔状の汚れの大半は、密集し、加工が施されたループ部下面２ａの単糸により絡め取られ、留まるため、使用後の手入れも容易にできるようにした。【００１１】  尚、本発明と従来の舌の清浄用具との大きな違いは、作用部の上下ループ部２と２ａ全体を水でぬらし、柄５は、支え持つだけで作用部は動作せず、下方にカーブした側のループ部下面２ａを舌の表面に当て、軽く咥え、口を閉じたまま、自ら、舌をループ部下面２ａに軽く押し当てながら、前後左右に動作する。このように、従来の清浄用具とは、作業手順が全く異なり、舌の表面に生じた口臭の原因となる汚れを、舌の表面にかき出すように引きこするのではなく、緩衝性を併せ持つループ状やモヘア状に密集し、加工が施された作用部の単糸により汚れだけを絡め取り、留めることができる、などの点がある。
【発明の効果】
【００１２】  本発明は、舌の表面に汚れが生じやすいお年寄りや介護を必要とする方、また、病床にある方に対し、介護師や看護師、さらに、ご身内の方が下方にカーブしたループ部下面２ａを上向きに持ち、従来どおり、柄５を動作し、ループ部上面２側を使い、そうした方の舌の表面に生じた汚れの大半を絡め取り、留めることができ、場合によって、口をすすぐことが困難な方々にあっては、すすぐ必要もなく、舌を清浄に保つ作業が安全に効率よく行なえるものである。【００１３】  また、本発明のループ部下面２ａが、経年の使用において劣化をともない、効果に物足りなさを感じた場合、柄５を差し替え、ループ部２と２ａ上下を裏返すことで、ループ部上面２をループ部下面２ａとし、新たに使用できるなどの特長から、商品構成に於いて、標準品以外に、上下ループ部２と２ａの単糸の太さを変え、上下で強弱をもたらしたものや、硬軟段階的に一体化したループ部単体を、部品として取りそろえ、使用者、各々で好みに合ったものを買い替えることを可能にし、リピーターなども期待できるものである。【００１４】  本発明は、既に公知されている一対の面ファスナーを製造する会社に在っては、メス側を全く用途が異なるものに、使用すると言う発想が皆無であったと思われますが、本発明は、材質的にも全く問題はなく、そうした、メーカー様にとって、新規アイテムとして産業上、有益なものになり得る可能性が大なものである。
【実施例】
【００１５】  （イ）舌と接触するループ部２と２ａを海綿状のものを利用したものがある。
（ロ）上下表面にループ部２と２ａを配したベース１の一体化を縫製ではなく、化学繊維の特性を活かし、縫い目調の金型を熱し、圧着溶接したものがある。
（ハ）舌と接触するループ部２と２ａを柔らかな化学繊維などで作られた浴用タオルなどを利用したものがある。
（ニ）弾性を有する柄５の後方に多目的孔６を設け、前方を適宜な形状にし、その前方の形状に合わせ、面ファスナーのメス側を切り抜き、上下表側にループ部を配し、柄５の前方両面に貼り付け、作用部とし一体化し、従来どおり、柄５を動作し、用いることや、本発明の柄５を支え持つだけで動作せず、口に含み咥え、口を閉じたまま、自ら舌を下方にカーブ下側のループ部下面２ａに押し当て前後左右に動作する、どちらの使用手段にも対応できるようにしたものがある。（請求項２）
【図面の簡単な説明】
【００１６】
【図１】  本発明の面ファスナーのメス側を上下一体にした平面図。
【図２】  同測面図。
【図３】  本発明の柄５の構造を示す平面図。
【図４】  同測面図。
【図５】  柄５の支持部７、Ａ／Ｂの断面図。
【図６】  柄５とループ部２と２ａを一体にした斜視図。
【図７】  人体の頭部を左右正中断面にし、斜線で表し、細密なループ部２と２ａを省略し実線で表し、柄５を持ち、口に含んだ状態を示す左側面図。
【図８】  Ａ社、面ファスナーのメス側ループ部を拡大し、写真にて形状を示した平面図。
【図９】  同拡大倍率が同一の側面図。
【図１０】  Ｂ社、面ファスナーのメス側を拡大し、写真にてループ以外の形状としてモヘア状のものを示した平面図。
【図１１】  同拡大倍率が同一の側面図。
【図１２】  実施例（ニ）の柄５の形状の一例を示す平面図。
【図１３】  同、面ファスナーのメス側を上下両面に貼り付けた側面図。
【００１７】  実験の結果、ループ部の形状が異なるＡ社［図８］Ｂ社［図１０］共に、同様の効果が得られた。
【発明を実施するための形態】
【００１８】  以下、本発明の形態を図１〜図１１に基づいて説明する。
【００１９】  符号１は、ベース、その表面に、単糸を用いループ状に密集し、加工が施された面ファスナーのメス側を作用部とし、適宜同形に切り抜き、２枚を用い、それぞれのベース１の裏面を向かい合わせ、上下表側にループ部を配し、縦長に中央を袋状の鞘部３を設けるように縫い、その一端より続けて縁周りを縫い、もう一端と結び上下２枚を一体にする、その鞘部３の入り口より、やや上の中央に、上下２枚のベース１を貫く、止め着け孔４を設ける。
【００２０】  ５は、弾性を有する柄で、後方に多目的孔６を設け、前方支持部７には、カーブを施し、下方に、カーブした側の支持部７表側の平面一部に突起部８を設ける。
【００２１】  そのカーブを施された支持部７を、上下表面にループ部を配し一体化し、ベース１の間に設けられた鞘部３に、差し込み、支持部７のカーブした側の表面一部に設けた突起部８に、上下ベース１を貫く、下側の止め着け孔４を差し入れ固定し、下方にカーブした側をループ部下面２ａとし、その反対側をループ部上面２とする。
【００２２】  以下、使用時に於ける動作を説明する。作用部である緩衝性を併せ持つ上下ループ部２と２ａ全体を水でぬらし、下方にカーブした側のループ部下面２ａを舌の表面に当て、軽く咥え、ループ部上面２は、上顎のドーム状の口蓋９の奥側一部に当て、抑制部とし、柄５を支え持ち、動作せず、口を閉じたまま、自ら、舌の表面をループ部下面２ａに、軽く押し当てながら前後左右に動作することで、緩衝性を併せ持つ作用部の、密集し、加工が施されたループ部下面２ａの単糸により、安全に効率よく舌の表面に生じた苔状の汚れだけを絡め取り、留めることができるようにした、オスとメスからなる、一対の面ファスナーのメス側、表面の特性を活用した舌の清浄用具である。
【符号の説明】
【００２３】  １．ベース。２．ループ部上面。２ａ．ループ部下面。３．鞘部。４．止め着け孔。５．柄。６．多目的孔。７．支持部。８．突起部。９．口蓋。１０．舌。
【図１】
2014042780.tif 000003
【図２】
2014042780.tif 000004
【図３】
2014042780.tif 000005
【図４】
2014042780.tif 000006
【図５】
2014042780.tif 000007
【図６】
2014042780.tif 000008
【図７】
2014042780.tif 000009
【図８】
2014042780.tif 000010
【図９】
2014042780.tif 000011
【図１０】
2014042780.tif 000012
【図１１】
2014042780.tif 000013
【図１２】
2014042780.tif 000014
【図１３】
2014042780.tif 000015